(57)【要約】【課題】靴の脱ぎ履きを容易にし、かつ、レースの余りを解消すること。【解決手段】本発明のレースフック１は、靴のレースホールＨに挿入される挿入部１１と、靴の甲の縁部Ｆに接触して配置された状態で、縁部Ｆに接触している部分と、挿入部１１のうちレースホールＨに接触している部分とで、レースホールＨから縁部Ｆまでの間を挟み込むようにして、甲に固定させる第１固定部１２と、靴のレースＬを保持する保持部１３とを備える。【選択図】図１
2018042666.tif 000002
【特許請求の範囲】
【請求項１】
靴のレースホールに挿入される挿入部と、
前記靴の甲の縁部に接触して配置された状態で、前記縁部に接触している部分と、前記挿入部のうち前記レースホールに接触している部分とで、前記レースホールから前記縁部までの間を挟み込むようにして、前記甲に固定させる第１固定部と、
前記靴のレースを保持する保持部と、
を備えるレースフック。
【請求項２】
前記挿入部は、前記レースホールに接触している前記部分を、前記レースホールに固定させる第２固定部を備える、
請求項１に記載のレースフック。
【請求項３】
前記靴の甲の縁部に接触して配置された状態で、前記縁部に接触している部分と、前記挿入部のうち前記レースホールに接触している部分との間の距離を可変させる距離変更部をさらに備える、
請求項１または２に記載のレースフック。
【発明の詳細な説明】
【技術分野】
【０００１】
本発明は、レースフックに関する。
【背景技術】
【０００２】
従来より、靴の甲に複数のレースホール（孔）を有し、靴の甲の締結具としてレース（靴紐）を採用する靴の技術が存在する（例えば、特許文献１参照）。
【先行技術文献】
【特許文献】
【０００３】
【特許文献１】特開２０１４−０３６８７０号公報
【発明の概要】
【発明が解決しようとする課題】
【０００４】
しかしながら、特許文献１を含め従来の技術では、靴の甲に複数のレースホールを有する場合、靴の脱ぎ履きの際に夫々のレースホールに挿通されたレースを緩めたり締めたりしなければならず、靴の脱ぎ履きが困難になる。また、レースを強く締めすぎることにより、レースの余りが生じ、余ったレースの調節処理に手間を要する。従って、靴の脱ぎ履きを容易にし、かつ、レースの余りを容易に解消する技術の確立が要求されている。
【０００５】
本発明は、このような状況に鑑みてなされたものであり、靴の脱ぎ履きを容易にし、かつ、レースの余りを解消するレースフックを提供することを目的とする。
【課題を解決するための手段】
【０００６】
上記目的を達成するため、本発明の一態様のレースフックは、
靴のレースホールに挿入される挿入部と、
前記靴の甲の縁部に接触して配置された状態で、前記縁部に接触している部分と、前記挿入部のうち前記レースホールに接触している部分とで、前記レースホールから前記縁部までの間を挟み込むようにして、前記甲に固定させる第１固定部と、
前記靴のレースを保持する保持部と、
を備える。
【発明の効果】
【０００７】
本発明によれば、靴の脱ぎ履きを容易にし、かつ、レースの余りを解消することができる。
【図面の簡単な説明】
【０００８】
【図１】本発明の実施形態に係るレースフックの外観構成を示す図である。
【図２】図１のレースフックを靴に装着し、レースフックの保持部にレースが保持されるまでの様子を示す図である。
【図３】図１のレースフックを靴に装着し、レースフックの保持部にレースが保持された靴を示す全体図である。
【図４】レースホールから甲までが距離Ｋ１を有する靴に、図１のレースフックを装着するまでの様子を示す図である。
【図５】レースホールから甲までが距離Ｋ２を有する靴に、図１のレースフックを装着するまでの様子を示す図である。
【図６】図１のレースフックに模様や色を施した外観構成を示す図である。
【発明を実施するための形態】
【０００９】
以下、本発明の実施形態を図面に基づいて説明する。
【００１０】
図１は、本発明の実施形態に係るレースフック１の外観構成を示す図である。
図１（Ａ）は、レースフック１の右側面図である。図１（Ｂ）は、レースフック１の正面図である。図１（Ｃ）は、レースフック１の背面図である。図１（Ｄ）は、レースフック１の斜視図である。
レースフック１は、挿入部１１と、第１固定部１２と、保持部１３とを備える。
【００１１】
挿入部１１は、図１（Ａ）から見た場合、レースフック１の長手方向の右下端部に形成されている。また、挿入部１１は、図１（Ａ）から見たレースフック１の長手方向の下方向と、図１（Ａ）から見た挿入部１１の短手方向の右方向とのなす角度とが、略９０度となるような鈎状に形成されている。
挿入部１１は、靴のレースホールに挿入される。
さらに、挿入部１１には、当該挿入部１１をレースホールに固定させる第２固定部１１１が形成されている。
第２固定部１１１は、レースホールに挿入された挿入部１１が、図１（Ａ）から見たレースフック１の短手方向の左方向に引かれたとしても、挿入部１１がレースホールから抜けずに固定されるような鈎状に形成されている。
これにより、レースホールに挿入された挿入部１１がレースホールから脱落することを防止することができる。
【００１２】
第１固定部１２は、図１（Ａ）から見た場合、レースフック１の短手方向の右上端部に形成されている。また、第１固定部１２は、図１（Ａ）から見た場合の第１固定部１２の短手方向の右方向と、図１（Ａ）から見た場合のレースフック１の長手方向の下方向とのなす角度が、略９０度となるような鈎状に形成されている。
第１固定部１２は、靴の甲の縁部（以下、「甲の縁部」と呼ぶ）に接触して配置される。
【００１３】
詳細は図２で説明するが、レースフック１は、挿入部１１のうちレースホールに接触している部分と、第１固定部１２のうち甲の縁部に接触している部分とで、レースホールから甲の縁部までの間を挟み込むようにして、靴に固定される。
【００１４】
保持部１３は、図１（Ａ）から見た場合、レースフック１の短手方向の左上端部に、略Ｕ字状に形成されている。保持部１３は、レースを保持する機能を有する。
【００１５】
図２は、図１のレースフック１を靴２に装着し、レースフック１の保持部１３にレースＬが保持されるまでの様子を示す図である。
図２（Ａ）は、レースフック１を装着する前の靴２のレースホールＨ周辺の部分拡大図である。図２（Ｂ）は、レースフック１を装着した靴２のレースホールＨ周辺の部分拡大図である。図２（Ｃ）は、レースフック１を装着し、さらにレースフック１の保持部１３にレースＬが保持された靴２のレースホールＨ周辺の部分拡大図である。
図２（Ａ）及び図２（Ｂ）に示すように、靴２は、甲の縁部Ｆと、レースホールＨとを備える。また、図２（Ｃ）に示すように、靴２に装着されたレースフック１の保持部１３には、レースＬが保持される。
【００１６】
図２（Ｂ）に示すように、第１固定部１２は、甲の縁部Ｆに接触して配置される。
また、挿入部１１は、レースホールＨに挿入されて、第２固定部１１１（図１参照）により当該レースホールＨに固定される。
このようにして、レースフック１は、挿入部１１のうちレースホールＨに接触している部分と、第１固定部１２が甲の縁部Ｆに接触している部分とで、レースホールＨから甲の縁部Ｆまでの間を挟み込むようにして、靴に固定される。
図２（Ｃ）に示すように、靴２に装着されたレースフック１の保持部１３には、レースＬが保持される。
【００１７】
図３は、図１のレースフック１を靴２に装着し、レースフック１の保持部１３にレースＬが保持された靴２を示す全体図である。
図３に示すように、複数のレースフック１は、靴２のレースホールＨの夫々に装着されている。また、レースＬは、靴２の短手方向を左右に折り返しながら複数のレースフック１の保持部１３の夫々に保持されている。
また、上述の通り保持部１３は、略Ｕ字状に形成されている。そのため、レースＬの着脱が容易となる。また、レースＬを強く締めすぎたとしても、靴２の短手方向の左右の甲の縁部Ｆの間に幅をもたせることが可能となる。
これにより、靴の脱ぎ履きを容易にし、かつ、レースＬの余りを解消することができる。
また、レースＬとして、従来の長いレースも用いることもできるし、それより短いレースに変えることができる。
【００１８】
図４は、レースホールＨから甲の縁部Ｆまでが距離Ｋ１を有する靴２に、レースフック１を装着するまでの様子を示す図である。
図５は、レースホールＨから甲の縁部Ｆまでが距離Ｋ２を有する靴２に、レースフック１を装着するまでの様子を示す図である。
【００１９】
ここで、靴２のレースホールＨから甲の縁部Ｆまでの距離は、靴２に応じてまちまちであり、例えば図４の例では距離Ｋ１であるし、図５の例では距離Ｋ２である。
そこで、レースフック１は、挿入部１１のうちレースホールＨに接触している部分と、第１固定部１２が甲の縁部Ｆに接触している部分との間の所定距離を自由に変更できるように、距離変更部２１を有するようにしてもよい。
【００２０】
図４（Ａ）は、距離変更部を変更させる前のレースフック１の右側面図である。図４（Ｂ）は、距離変更部を変更させる前のレースフック１を装着する前の靴２のレースホールＨ周辺の部分拡大図である。図４（Ｃ）は、距離変更部を変更させる前のレースフック１が装着された靴２のレースホールＨ周辺の部分拡大図である。
図４（Ａ）に示すように、レースフック１は、挿入部１１のうちレースホールＨに接触している部分と、第１固定部１２が甲の縁部Ｆに接触している部分との間として、所定距離Ｋ１を有している。また、図４（Ｂ）に示すように、レースフック１が挿入部１１のうちレースホールＨに接触している部分と、第１固定部１２が甲の縁部Ｆに接触している部分との間として、所定距離Ｋ１を有している。従って、図４（Ｃ）に示すように、靴２に対して所定距離Ｋ１について、レースフック１を装着することが可能となる。
【００２１】
図５（Ａ）は、距離変更部を変更させた後のレースフック１の右側面図である。図５（Ｂ）は、距離変更部を変更させた後のレースフック１を装着する前の靴３のレースホールＨ周辺の部分拡大図である。図５（Ｃ）は、距離変更部を変更させた後のレースフック１が装着された靴３のレースホールＨ周辺の部分拡大図である。
図５（Ａ）に示すように、レースフック１は、挿入部１１のうちレースホールＨに接触している部分と、第１固定部１２が甲の縁部Ｆに接触している部分との間として、所定距離Ｋ２を有している。また、図５（Ｂ）に示すように、レースフック１が挿入部１１のうちレースホールＨに接触している部分と、第１固定部１２が甲の縁部Ｆに接触している部分との間として、所定距離Ｋ２を有している。従って、図５（Ｃ）に示すように、靴３に対して所定距離Ｋ２について、レースフック１を装着することが可能となる。
図４及び図５に示したように、レースフック１の距離変更部は、挿入部１１のうちレースホールＨに接触している部分と、第１固定部１２が甲の縁部Ｆに接触している部分との間の所定距離を自由に変更することができる。
従って、多種多様な靴に対して、レースフックを適用することが可能となる。
【００２２】
図６は、図１のレースフック１に模様や色を施した外観構成を示す図である。
図６（Ａ）は、レースフック１に模様を施した斜視図である。図６（Ｂ）は、レースフック１に色を施した斜視図である。図６（Ｃ）は、レースフック１に模様及び色を施した斜視図である。
例えば、図６（Ａ）に示すレースフック１には、全体に水玉模様が施されている。また、図６（Ｂ）に示すレースフック１には、全体に灰色が施されている。さらに、図６（Ｃ）に示すレースフック１には、全体に水玉模様及び灰色が施されている。
これにより、ユーザの所望のデザインのレースフックを組み合わせて靴に装着することが可能となり、かつ、靴に審美的な外観をもたらし、ファッション性の向上を図ることが可能となる。
【００２３】
以上本発明の実施形態について説明したが、本発明は上述した実施形態に限るものではない。また、本実施形態に記載された効果は、本発明から生じる最も好適な効果を列挙に過ぎず、本発明による効果は、本実施形態に記載されたものに限定されるものではない。
例えば、上記実施形態においては、靴として靴２が採用されているが、これに制限されない。レースホールＨと甲の縁部Ｆを有するものであれば、他の靴が採用されてもよい。
【００２４】
例えば、前記実施形態においては、レースフック１には、全体に水玉模様や灰色、あるいはこれらの組み合わせが施されているが、これに制限されない。他の任意の模様や色、あるいはこれらの組み合わせが施されていてもよい。
またレースフック１の保持部１３は、レースを保持できる機能を有していれば足り、その形状は特に限定されない。例えば保持部１３は、審美的な外観をもたらすような任意の形状を有することができる。
【００２５】
以上まとめると、本発明が適用されるレースフックは、次のような構成を取れば足り、各種各様な実施形態を取ることができる。
即ち、本発明が適用されるレースフック（例えば図１等のレースフック１）は、
靴のレースホール（例えば図２のレースホールＨ）に挿入される挿入部（例えば図１の挿入部１１）と、
前記靴の甲の縁部（例えば図２の甲の縁部Ｆ）に接触して配置された状態で、前記縁部に接触している部分と、前記挿入部のうち前記レースホールに接触している部分とで、前記レースホールから前記縁部までの間を挟み込むようにして、前記甲に固定させる第１固定部（例えば図１の第１固定部１２）と、
前記靴のレース（例えば図２のレースＬ）を保持する保持部（例えば図１の保持部１３）と、
を備える、レースフックであれば足りる。
このようなレースフックを適用することで、靴の脱ぎ履きを容易にし、かつ、レースの余りを解消することができる。
【００２６】
また、レースフックは、
前記挿入部は、前記レースホールに接触している前記部分を、前記レースホールに固定させる第２固定部を備えていてもよい。
これにより、レースホールに挿入された挿入部がレースホールから脱落することを防止することができる。
【００２７】
また、レースフックは、
前記靴の甲の縁部に接触して配置された状態で、前記縁部に接触している部分と、前記挿入部のうち前記レースホールに接触している部分との間の距離を可変させる距離変更部をさらに備えていてもよい。
これにより、多種多様な靴に対して、レースフックを適用することが可能となる。
【符号の説明】
【００２８】
１  レースフック
２  靴
３  靴
１１  挿入部
１２  第１固定部
１３  保持部
Ｆ  甲の縁部
Ｈ  レースホール
Ｌ  レース
Ｋ１  所定距離
Ｋ２  所定距離
【図１】
2018042666.tif 000003
【図２】
2018042666.tif 000004
【図３】
2018042666.tif 000005
【図４】
2018042666.tif 000006
【図５】
2018042666.tif 000007
【図６】
2018042666.tif 000008